(57)【要約】【課題】録音操作者が従来行っていた録音時の指定操作を排除した上で、再生操作者が再生時に指定操作をすることなく所望の音声データを再生することを実現する録音装置、操作端末、通信端末、録音機能付き通信装置、録音機能付き電話装置、プログラム、およびプログラムを記録した記録媒体を提供する。【解決手段】録音装置２は、各操作端末４，７から音声データの録音が要求されたときに、音声データの録音を要求した操作端末４，７を識別する操作端末情報と上記音声データとを関連付けて音声データ記憶部１２２に記憶させる音声データ記憶制御部１１４を備える。また、録音装置２は、各操作端末４，７から音声データの再生が要求されたときに、音声データの再生を要求した操作端末４，７の操作端末情報に関連付けられている音声データを音声データ記憶部１２２に記憶された音声データの中から検索する音声データ検索部１１８をさらに備える。【選択図】図２
2008109520.tif 000002
【特許請求の範囲】
【請求項１】
複数の操作端末と接続され、各操作端末から音声データの録音が要求されると、共通の音声データ記憶手段に音声データを記憶させる録音装置であって、
各操作端末から音声データの録音が要求されたときに、音声データの録音を要求した操作端末を識別する操作端末情報を設定する操作端末情報設定手段と、
上記操作端末情報設定手段によって設定された操作端末情報と該音声データとを関連付けて上記音声データ記憶手段に記憶させる記憶制御手段とを備えることを特徴とする録音装置。
【請求項２】
上記操作端末と異なる外部の通信装置と第１通信ネットワークを介して接続され、
上記記憶制御手段は、上記外部の通信装置から音声データの録音が要求されると、音声データの録音を要求した操作端末が上記外部の通信装置であることを示す操作端末情報と該音声データとを関連付けて上記音声データ記憶手段に記憶させることを特徴とする請求項１に記載の録音装置。
【請求項３】
各操作端末から音声データの再生が要求されたときに、音声データの再生を要求した操作端末の操作端末情報に関連付けられている音声データを音声データ記憶手段に記憶された音声データの中から検索し、上記音声データの再生を要求した操作端末に送信する音声データ検索手段をさらに備えることを特徴とする請求項１または２に記載の録音装置。
【請求項４】
上記音声データ検索手段は、上記音声データの再生を要求した操作端末の操作端末情報とは異なる操作端末情報が上記音声データの再生を要求した操作端末によって指定された場合に、上記音声データの再生を要求した操作端末の操作端末情報に関連付けられている音声データに代えて、指定された操作端末情報に関連付けられている音声データを検索することを特徴とする請求項３に記載の録音装置。
【請求項５】
上記操作端末と異なる外部の通信装置と第１通信ネットワークを介して接続され、
上記記憶制御手段は、上記外部の通信装置から音声データの録音が要求されると、音声データの録音を要求した操作端末が上記外部の通信装置であることを示す操作端末情報と該音声データとを関連付けて上記音声データ記憶手段に記憶させ、
上記音声データ検索手段は、検索対象の操作端末情報として上記外部の通信装置であることを示す操作端末情報が上記再生を要求した操作端末から送信された場合に、上記音声データの再生を要求した操作端末の操作端末情報に関連付けられている音声データに代えて、上記外部の通信装置であることを示す操作端末情報に関連付けられている音声データを検索することを特徴とする請求項３または４に記載の録音装置。
【請求項６】
複数の操作端末の各々から録音を要求された音声データを共通の音声データ記憶手段に記憶させる録音装置と接続される操作端末であって、
音声データの録音を要求する操作者の操作に応じて、音声データの録音を上記録音装置に要求すると共に、自操作端末を識別する操作端末情報を上記録音装置に送信する操作端末情報送信手段を備えることを特徴とする操作端末。
【請求項７】
上記操作端末情報送信手段は、さらに、音声データの再生を要求する操作者の操作に応じて、音声データの再生を上記録音装置に要求すると共に、自操作端末を識別する操作端末情報を上記録音装置に送信することを特徴とする請求項６に記載の操作端末。
【請求項８】
各操作端末の操作端末情報を記憶する操作端末情報記憶手段と、
上記操作端末情報記憶手段に記憶された操作端末情報の中から操作端末情報を選択する操作端末情報選択手段と、
上記操作端末情報選択手段によって選択された操作端末情報を音声データの検索条件として上記録音装置に送信する操作端末情報送信手段とをさらに備えることを特徴とする請求項７に記載の操作端末。
【請求項９】
上記操作端末情報記憶手段は、上記外部の通信装置であることを示す操作端末情報をさらに記憶することを特徴とする請求項８に記載の操作端末。
【請求項１０】
請求項１〜５のいずれか一項に記載の録音装置と、
請求項６〜９のいずれか一項に記載の操作端末とを備えることを特徴とする通信端末。
【請求項１１】
請求項１０記載の通信端末と、
第２通信ネットワークを介して上記通信端末と接続されている請求項６〜９のいずれか一項に記載の操作端末とを備えることを特徴とする録音機能付き通信装置。
【請求項１２】
請求項１〜５のいずれか一項に記載の録音装置、および請求項６〜９のいずれか一項に記載の操作端末を含む親電話機と、
請求項６〜９のいずれか一項に記載の操作端末を含む子電話機とを備え、
上記親電話機および子電話機は互いに第２通信ネットワークを介して接続され、
上記親電話機は、第１通信ネットワークを介して外部の電話装置と接続され、
上記録音装置の記憶制御手段は、上記音声データとして、少なくとも上記外部の電話装置と上記親電話機または子電話機との間で通話する音声のデータを上記音声データ記憶手段に記憶させることができることを特徴とする録音機能付き電話装置。
【請求項１３】
請求項１〜５のいずれか一項に記載の録音装置または請求項６〜９のいずれか一項に記載の操作端末を動作させるプログラムであって、コンピュータを上記の各手段として機能させるためのプログラム。
【請求項１４】
請求項１３に記載のプログラムを記録したコンピュータ読み取り可能な記録媒体。
【発明の詳細な説明】
【技術分野】
【０００１】
本発明は、互いに接続される録音装置および複数の操作端末を備えた録音機能付き通信装置、該通信装置に用いられる録音装置、操作端末、および通信端末、上記通信装置を含む録音機能付き電話装置、上記録音装置または操作端末を動作させるためのプログラム、並びに該プログラムを記録した記録媒体に関するものである。
【背景技術】
【０００２】
従来から、メモリや録音テープなどの記録媒体を備えた録音再生機能付き電話装置がある。録音再生機能付き電話装置には、留守中における公衆回線からの着信の際に発信者のメッセージを記録媒体に録音する留守録音機能、通話中における話者の音声を記録媒体に録音する通話録音機能、あるいは、通話時以外に話者の音声をメモとして記録媒体に録音する音声メモ録音機能と、記録媒体に録音された音声データを再生する再生機能とを有しているものがある。また、このような録音再生機能付き電話装置は、操作端末として親電話機および複数の子電話機を一般的に備えており、各操作端末にて録音操作および、音声データの再生操作が可能となっている。
【０００３】
しかし、上述の録音再生機能付き電話装置において、音声データは操作端末毎の記録媒体に格納されるのではなく、同一の記録媒体の領域上、例えば親電話機の記録媒体の同一領域上に全ての音声データが格納されることが一般的であった。従来の録音再生機能付き電話装置においては、全ての音声データは、どの操作端末からの録音操作によって録音されたものかが区別されることなく、録音日時の順に記録されている。そのため、音声データを再生する場合は、再生操作を行う操作端末に関わらず、どの操作端末から再生操作を行っても、全ての録音データが再生可能である。そのため、再生操作者が再生したい音声データを選択して再生するには、再生操作を行う操作端末で録音したデータだけでなく、他の操作端末で録音したデータも含む全ての録音データの中から再生したい音声データを選択する必要がある。それゆえ、従来の録音再生機能付き電話装置では、再生操作者が再生したい音声データを選択して再生することが困難であった。
【０００４】
そこで、特許文献１では、留守録音を行う場合に、記録媒体に複数個の領域を設けて操作端末毎に領域を割り当て、公衆回線から到来する選択信号に基づいて該領域を選択し、選択した該領域に公衆回線からの音声データを録音する手段が開示されている。そして、例えば該記録媒体の親電話機用の領域に録音された音声データは親電話機から再生させ、子電話機用の領域に記憶された音声データは子電話機から再生させることにより、再生操作者が再生したい音声データを選択可能としている。
【０００５】
特許文献１ではさらに、領域毎に任意の暗証番号を設定することが可能であり、親電話機または子電話機にて入力された暗証番号と上記領域毎の暗証番号との比較により、入力された暗証番号に対応する領域を選択し、当該暗証番号を入力した親電話機または子電話機から該選択領域に録音された音声データを再生させる手段が開示されている。これにより再生操作者が再生したい音声データを選択可能としている。
【０００６】
また、特許文献２では、子電話機にて通話録音を行う場合に、音声データを録音するためのメールボックスの番号をダイヤルキーにて指定して録音可能とし、再生する際には該メールボックスの番号を指定する手段が開示されている。これにより、再生操作者が再生したい音声データを選択可能としている。
【特許文献１】特開平６−１６４７０８号公報（平成６年６月１０日公開）
【特許文献２】特開平９−１８５７５号公報（平成９年１月１７日公開）
【発明の開示】
【発明が解決しようとする課題】
【０００７】
しかしながら、上記従来の構成では、再生操作者が再生したい音声データを再生するためには、録音を行う者が録音を行う際に音声データを格納する領域あるいはメールボックスの番号を正しく指定する操作が必要となる。
【０００８】
具体的には、特許文献１においては、留守録音を行う場合に発信者は正しく領域を指定する必要があるが、いずれの領域を指定すればよいかが不明な場合がある。発信者が不用意に誤った領域を指定してしまうと、適切な選択信号が送信されず、適切な領域に音声データが記録されない。その結果、再生操作者は再生したい音声データを選択できないか、もしくは不要な音声データを選択する可能性がある。したがって、発信者が、留守番電話メッセージを伝えたい相手に伝えられない可能性がある。
【０００９】
また、特許文献２では、録音時と再生時のそれぞれにおいてメールボックスの番号を正しく指定しなければ、再生操作者は再生したい音声データを選択できないか、もしくは不要な音声データを選択する可能性がある。
【００１０】
本発明は、上記の問題点に鑑みてなされたものであり、その目的は、録音時に音声データを格納する領域あるいはメールボックスの番号を指定する操作をすることなく音声データを記録する録音装置、再生時に音声データを格納した領域あるいはメールボックスの番号を指定する操作をすることなく所望の音声データを再生する操作端末、録音装置および操作端末を備えた通信端末、互いに接続される録音装置および複数の操作端末を備えた録音機能付き通信装置、通信装置を含む録音機能付き電話装置、録音装置または操作端末を動作させるためのプログラム、および該プログラムを記録した記録媒体を提供することにある。
【課題を解決するための手段】
【００１１】
本発明に係る録音装置は、上記課題を解決するために、複数の操作端末と第２通信ネットワークを介して接続され、各操作端末から音声データの録音が要求されると、共通の音声データ記憶手段に音声データを記憶させる録音装置であって、各操作端末から音声データの録音が要求されたときに、音声データの録音を要求した操作端末を識別する操作端末情報を設定する操作端末情報設定手段と、上記操作端末情報設定手段によって設定された操作端末情報と該音声データとを関連付けて上記音声データ記憶手段に記憶させる記憶制御手段とを備えることを特徴としている。
【００１２】
上記の構成によれば、上記記憶制御手段が、録音時に操作端末情報と音声データとを関連付けて音声データ記憶手段に記憶しておくので、音声データ記憶手段に記憶された音声データを上記録音装置あるいは他の装置で検索するときに操作端末情報を検索条件とすることが可能になる。それゆえ、上記構成は、操作者が、特定の操作端末での録音操作により録音された所望の音声データを容易に探し出すことができるという効果を奏する。
【００１３】
また、上記の構成によれば、操作端末情報と音声データとを関連付けて記憶する処理は、各操作端末から音声データの録音が要求されたときに行われるので、録音操作者が従来行っていた録音時の指定操作を排除することができる。
【００１４】
また、本発明に係る録音装置は、上記の構成において、上記操作端末と異なる外部の通信装置と第１通信ネットワークを介して接続され、上記記憶制御手段は、上記外部の通信装置から音声データの録音が要求されると、音声データの録音を要求した操作端末が上記外部の通信装置であることを示す操作端末情報と該音声データとを関連付けて上記音声データ記憶手段に記憶させる構成としてもよい。
【００１５】
上記の構成によれば、録音時に上記外部の通信装置であることを示す操作端末情報と音声データとを関連付けて記憶しておくので、音声データを検索するときに上記外部の通信装置であることを示す操作端末情報を検索条件とすることが可能になる。それゆえ、上記構成は、操作者が、外部の通信装置からの録音要求によって録音された所望の音声データを容易に探し出すことができるという効果を奏する。
【００１６】
また、本発明に係る録音装置は、上記の構成において、各操作端末から音声データの再生が要求されたときに、音声データの再生を要求した操作端末の操作端末情報に関連付けられている音声データを音声データ記憶手段に記憶された音声データの中から検索し、上記音声データの再生を要求した操作端末に送信する音声データ検索手段をさらに備える構成としてもよい。
【００１７】
上記の構成によれば、操作者が操作端末に対して音声データの再生操作を行うだけで、その操作端末からの要求によって録音された音声データをその操作端末に送信してその操作端末で再生させることができる。それゆえ、上記構成は、再生操作を行う操作端末において、操作者が音声データを指定する操作をすることなく、その操作端末からの要求によって録音された音声データを自動的に再生することができるという効果を奏する。
【００１８】
また、本発明に係る録音装置は、上記の構成において、上記音声データ検索手段は、上記音声データの再生を要求した操作端末の操作端末情報とは異なる操作端末情報が上記音声データの再生を要求した操作端末によって指定された場合に、上記音声データの再生を要求した操作端末の操作端末情報に関連付けられている音声データに代えて、指定された操作端末情報に関連付けられている音声データを検索する構成としてもよい。
【００１９】
上記の構成によれば、操作者が操作端末に対して音声データの再生操作を行うだけで、その操作端末以外の操作端末からの要求によって録音された音声データを再生操作を行った操作端末に送信して、再生操作を行った操作端末で再生させることができる。それゆえ、上記構成は、再生操作を行う操作端末において、操作者が音声データを指定する操作をすることなく、再生操作を行う操作端末以外の操作端末からの要求によって録音された音声データを自動的に再生することができるという効果を奏する。
【００２０】
また、本発明に係る録音装置は、上記の構成において、上記操作端末と異なる外部の通信装置と第１通信ネットワークを介して接続され、上記記憶制御手段は、上記外部の通信装置から音声データの録音が要求されると、音声データの録音を要求した操作端末が上記外部の通信装置であることを示す操作端末情報と該音声データとを関連付けて上記音声データ記憶手段に記憶させ、上記音声データ検索手段は、検索対象の操作端末情報として上記外部の通信装置であることを示す操作端末情報が上記再生を要求した操作端末から送信された場合に、上記音声データの再生を要求した操作端末の操作端末情報に関連付けられている音声データに代えて、上記外部の通信装置であることを示す操作端末情報に関連付けられている音声データを検索する構成としてもよい。
【００２１】
上記の構成によれば、操作端末から音声データの再生を要求するだけで、その操作端末以外の操作端末からの要求によって録音された音声データを再生を要求した操作端末に送信して再生を要求した操作端末で再生させることができる。それゆえ、再生操作を行う操作端末において、上記外部の通信装置からの要求によって録音された音声データを、容易に再生することができるという効果を奏する。
【００２２】
また、本発明に係る操作端末は、上記課題を解決するために、複数の操作端末の各々から録音を要求された音声データを共通の音声データ記憶手段に記憶させる録音装置と接続される操作端末であって、音声データの録音を要求する操作者の操作に応じて、音声データの録音を上記録音装置に要求すると共に、自操作端末を識別する操作端末情報を上記録音装置に送信する操作端末情報送信手段を備えることを特徴としている。
【００２３】
上記の構成によれば、音声データの録音を要求する操作者の操作に応じて、自操作端末を識別する操作端末情報を録音装置に送信し、音声データと共に録音装置の音声データ記憶手段に記憶させることができる。それゆえ、上記構成は、操作端末にて録音要求を行う者が従来行っていた、音声データを記録する領域あるいはメールボックスの番号を指定する操作を排除できるという効果を奏する。
【００２４】
また、本発明に係る操作端末は、上記の構成において、上記操作端末情報送信手段は、さらに、音声データの再生を要求する操作者の操作に応じて、音声データの再生を上記録音装置に要求すると共に、自操作端末を識別する操作端末情報を上記録音装置に送信する構成としてもよい。
【００２５】
上記の構成によれば、音声データの再生を要求する操作者の操作に応じて、自操作端末を識別する操作端末情報を録音装置に送信し、操作端末情報に関連付けられた音声データを録音装置で再生させることができる。それゆえ、上記構成は、再生操作を行う操作端末からの要求によって録音された音声データを、再生操作者が何らの指定操作をすることなく再生操作を行う操作端末で再生することができるという効果を奏する。また、上記の構成によれば、再生操作者にとって不要な音声データが再生されなくなるという効果を奏する。
【００２６】
また、本発明に係る操作端末は、上記の構成において、各操作端末の操作端末情報を記憶する操作端末情報記憶手段と、上記操作端末情報記憶手段に記憶された操作端末情報の中から操作端末情報を選択する操作端末情報選択手段と、上記操作端末情報選択手段によって選択された操作端末情報を音声データの検索条件として上記録音装置に送信する操作端末情報送信手段とをさらに備える構成としてもよい。
【００２７】
上記の構成によれば、操作端末で再生操作を行うときに、操作端末情報を選択するだけの簡便な操作で、再生操作を行う操作端末以外の操作端末からの要求によって録音された音声データの中から所望の音声データを選択し再生することができるという効果を奏する。
【００２８】
また、本発明に係る操作端末は、上記の構成において、上記操作端末情報記憶手段は、上記外部の通信装置であることを示す操作端末情報をさらに記憶する構成としてもよい。
【００２９】
上記の構成によれば、操作端末で再生操作を行うときに、操作端末情報を選択するだけの簡便な操作で、第１通信ネットワーク上の外部の通信装置から録音を要求された音声データを選択することができるという効果を奏する。
【００３０】
また、本発明に係る通信端末は、上記課題を解決するために、上記本発明に係る録音装置と、上記本発明に係る操作端末とを備えることを特徴としている。
【００３１】
上記の構成によれば、指定操作をすることなく音声データの録音を要求することができ、かつ、所望の音声データを容易に探し出すことができ、さらに、録音操作と音声データの記録とを一台で行うことができる通信端末を提供することができる。
【００３２】
また、本発明に係る録音機能付き通信装置は、上記課題を解決するために、上記本発明に係る通信端末と、第２通信ネットワークを介して上記通信端末と接続されている上記本発明に係る操作端末とを備えることを特徴としている。
【００３３】
上記の構成によれば、第２通信ネットワークを介して、各操作端末から指定操作をすることなく音声データの録音を要求することができ、さらに、各操作端末から所望の音声データを容易に探し出すことができる録音機能付き通信装置を提供することができる。
【００３４】
また、本発明に係る録音機能付き電話装置は、上記課題を解決するために、上記本発明に係る録音装置、および上記本発明に係る操作端末を含む親電話機と、上記本発明に係る操作端末を含む子電話機とを備え、上記親電話機および子電話機は互いに第２通信ネットワークを介して接続され、上記親電話機は、第１通信ネットワークを介して外部の電話装置と接続され、上記録音装置の記憶制御手段は、上記音声データとして、少なくとも上記外部の電話装置と上記親電話機または子電話機との間で通話する音声のデータを上記音声データ記憶手段に記憶させることができることを特徴としている。
【００３５】
上記の構成によれば、親電話機、子電話機または第１通信ネットワーク上の外部の電話装置から指定操作をすることなく音声データの録音を要求することができ、親電話機または子電話機から所望の音声データを再生することができる録音機能付き電話装置を提供することができる。
【００３６】
なお、上記録音装置および上記操作端末は、コンピュータによって実現してもよく、この場合には、コンピュータを上記各手段として動作させることにより上記録音再生機能付き通信装置をコンピュータにて実現させるプログラム、およびそれを記録したコンピュータ読み取り可能な記録媒体も、本発明の範疇に入る。
【発明の効果】
【００３７】
本発明に係る録音装置は、各操作端末から音声データの録音が要求されたときに、音声データの録音を要求した操作端末を識別する操作端末情報を設定する操作端末情報設定手段と、上記操作端末情報設定手段によって設定された操作端末情報と該音声データとを関連付けて上記音声データ記憶手段に記憶させる記憶制御手段と、各操作端末から音声データの再生が要求されたときに、音声データの再生を要求した操作端末の操作端末情報に関連付けられている音声データを音声データ記憶手段に記憶された音声データの中から検索し、上記音声データの再生を要求した操作端末に送信する音声データ検索手段とを備えている。
【００３８】
したがって、上記録音装置は、録音操作者が従来行っていた音声データを格納する領域あるいはメールボックスの番号を指定する操作を排除することができるとともに、特定の操作端末での録音操作により録音された所望の音声データを容易に探し出すことができるので、録音操作者が行う操作を簡素化できるという効果を奏する。
【００３９】
また、本発明に係る操作端末は、音声データの録音を要求する操作者の操作に応じて、音声データの録音を上記録音装置に要求すると共に、自操作端末を識別する操作端末情報を上記録音装置に送信する操作端末情報送信手段を備えている。
【００４０】
したがって、上記操作端末は、再生操作者が従来行っていた音声データを格納した領域あるいはメールボックスの番号を指定する操作をすることなく所望の音声データを再生するので、再生操作者が行う操作を簡素化できるとともに、再生操作者にとって不要な音声データが再生されなくなるという効果を奏する。
【００４１】
また、本発明に係る通信端末は、上記録音装置と、上記操作端末とを備えている。
【００４２】
したがって、上記通信端末は、指定操作をすることなく音声データの録音を要求することができ、かつ、所望の音声データを容易に探し出すことができ、さらに、録音操作と音声データの記録とを一台で行うことができる通信端末を提供することができるという効果を奏する。
【００４３】
また、本発明に係る録音機能付き通信装置は、以上のように、上記録音装置と複数の操作端末とから構成される。
【００４４】
したがって、上記録音機能付き通信装置は、各操作端末から指定操作をすることなく音声データの録音を要求することができ、さらに、各操作端末から所望の音声データを容易に探し出すことができる録音機能付き通信装置を提供することができるという効果を奏する。
【発明を実施するための最良の形態】
【００４５】
本発明の一実施形態について図１、図２および図３に基づいて説明すると以下の通りである。
【００４６】
以下の説明では、本発明の録音機能付き通信装置を録音再生機能付き電話装置に適用した場合について説明する。以下で説明する録音再生機能付き電話装置は、ファクシミリ送受信機能をさらに備えていてもよい。
【００４７】
また、以下の説明では、録音装置および操作端末を含む親電話機と、操作端末を含む子電話機とがそれぞれ１台接続されている録音再生機能付き電話装置について説明する。また、以下の説明では、録音再生機能付き電話装置は、通話録音機能、音声メモ録音機能、および留守録音機能を備えているものとする。
【００４８】
図１に示すように、本発明の実施の一形態である録音再生機能付き電話装置１は、親電話機１０と子電話機３０とを備える。親電話機１０は録音装置２と操作端末４とを含んでいる。録音装置２は録音装置主要部３と通信部６とを含んでいる。操作端末４は操作端末主要部５と通信部６とを含んでいる。ここで、本実施形態では、録音装置２と操作端末４とで通信部６を共用している。また、子電話機３０は操作端末７を含んでいる。操作端末７は操作端末主要部８と通信部９とを含んでいる。
【００４９】
録音装置２には、親電話機１０内の操作端末４が直接、子電話機３０内の操作端末７が第２通信ネットワーク５０２を介して、それぞれ接続されている。
【００５０】
親電話機１０と子電話機３０とは、通信部６および通信部９と接続される第２通信ネットワーク５０２を経由して相互に通信することが可能である。また、親電話機１０は、録音装置２の録音装置主要部３と接続される第１通信ネットワーク５０１を介して外部の電話装置５００と相互に通信することが可能である。
【００５１】
この第１通信ネットワーク５０１および第２通信ネットワーク５０２としては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、第１通信ネットワーク５０１および第２通信ネットワーク５０２を構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。また、第１通信ネットワーク５０１および第２通信ネットワーク５０２の形態は、特に限定されず、サーバ／クライアント型でもよく、ピア・ツー・ピア型でもよく、また、１対１で通信を行うものであってもよい。本実施形態では、第１通信ネットワーク５０１は、通信距離に制限のない電話回線などの公衆回線であり、第２通信ネットワーク５０２は、通信可能距離が比較的短い（例えば１００ｍ以下）短距離無線通信ネットワークである。
【００５２】
まず、親電話機１０について説明する。
【００５３】
図２に示すように親電話機１０は、親機主制御部１１、親機記憶部１２、親機外部通信制御部１３、親機音声制御部１４、親機音声入力装置１５、親機音声出力装置１６、親機通信制御部１７、親機通信部１８、親機表示制御部１９、親機表示装置２０、親機入力操作制御部２１、親機入力装置２２とを備える。
【００５４】
親機主制御部１１は、親機外部通信制御部１３、親機音声制御部１４、親機通信制御部１７、親機表示制御部１９、親機入力操作制御部２１を制御するものである。親機主制御部１１は、親機記憶部１２に記憶されたプログラムを実行することによって上記の制御を行うものである。親機主制御部１１は、例えば、親機記憶部１２に記憶されたプログラムをロードする図示しないメモリ（例えばＲＡＭ（Random Access Memory））と、メモリにロードされたプログラムを実行する図示しないＣＰＵ（Central Processing Unit）によって実現される。上記メモリは、例えば半導体メモリで構成され、親機外部通信制御部１３、親機音声制御部１４、親機通信制御部１７、親機表示制御部１９、親機入力操作制御部２１、およびＣＰＵが処理を行うために必要なデータなどのデータを記憶する。親機主制御部１１の詳細な構成については後述する。
【００５５】
親機記憶部１２は、例えば、親機主制御部１１のＣＰＵで実行されるプログラム、プログラムで利用される設定データや入力データ、プログラムの実行によって得られたデータなどを記憶するものであり、ＲＯＭ（Read-Only Memory）やフラッシュメモリなどの不揮発性メモリなどで実現される。親機記憶部１２の詳細な構成については後述する。
【００５６】
親機外部通信制御部１３は、第１通信ネットワーク５０１に接続され、第１通信ネットワーク５０１を介した外部との通信状態を管理するものである。親機外部通信制御部１３は、親機主制御部１１からの指示に応じて、通話時に第１通信ネットワーク５０１を通じて外部の電話装置５００から送信されてくる音声データを親機主制御部１１に送信する。また、親機外部通信制御部１３は、親機主制御部１１からの指示に応じて、親機主制御部１１から送信されてきた音声データを、第１通信ネットワーク５０１を通じて外部の電話装置５００へ送信する。
【００５７】
親機音声制御部１４は、親電話機１０の操作者の音声が入力される親機音声入力装置１５と、親電話機１０の操作者に対して音声を出力する親機音声出力装置１６とを制御する。親機音声制御部１４は、親機主制御部１１からの通話録音要求または音声メモ録音要求に応じて、親機音声入力装置１５から入力される音声をデジタルデータに変換して親機主制御部１１へ送信する。また、親機音声制御部１４は、親機主制御部１１からの再生要求に応じて、親機主制御部１１から送信される音声データをアナログ音声信号に変換して親機音声出力装置１６に出力する。また、親機音声制御部１４は、通話時に、親機音声入力装置１５から入力される音声をデジタルデータに変換して親機主制御部１１を介して外部の電話装置５００へ送信し、また、外部の電話装置５００から親機主制御部１１を介して入力される音声をアナログデータに変換して親機音声出力装置１６に出力する。
【００５８】
親機音声入力装置１５は、親電話機１０の操作者から発声される音声を音声信号として取り込み、親機音声制御部１４に送信する。親機音声入力装置１５は、例えばマイクで構成される。
【００５９】
親機音声出力装置１６は、親機音声制御部１４から送信されるアナログ音声信号を音声に変換して出力する。親機音声出力装置１６は、例えばスピーカーで構成される。
【００６０】
親機通信制御部１７は、親機通信部１８を介して子電話機３０とのデータの送受信を制御する。送受信されるデータには、音声データ、親電話機１０の親機主制御部１１からの制御信号、および子電話機３０からの制御信号が含まれる。
【００６１】
親機通信部１８は、親電話機１０と子電話機３０との通信を実行する際に、子機通信部３７と各種データの送受信を行う。親機通信部１８は、例えばアンテナで構成される。
【００６２】
親機表示制御部１９は、表示装置である親機表示装置２０を制御し、親機主制御部１１から指示された情報を親機表示装置２０に送信する。
【００６３】
親機表示装置２０は、親機表示制御部１９より送られた情報を表示する。親機表示装置２０は、例えばＬＣＤ（Liquid Crystal Display；液晶表示装置）で構成される。親機表示装置２０が表示する情報には、例えば、後述する操作端末情報記憶部１２３に記憶されている操作端末情報が含まれる。操作端末情報とは、操作端末４および７などを識別する情報であり、例えば、操作端末の内線番号やＩＤ番号である。
【００６４】
親機入力操作制御部２１は、親電話機１０の操作者の操作を受けつける親機入力装置２２を制御し、親機主制御部１１に対して操作者の入力操作に応じた入力信号を送信する。
【００６５】
親機入力装置２２は、親電話機１０の操作者の入力操作を受けつける入力装置であり、入力操作に応じた入力信号を親機入力操作制御部２１に送信する。親機入力装置２２は、例えば、ボタン（キー）、スイッチ、タッチパネルなどの入力デバイスで構成される。親機入力装置２２が受けつける入力操作には、音声データの通話録音または音声メモ録音の開始を要求する録音開始操作と、音声データの通話録音の終了を要求する録音終了操作と、音声データの再生を要求する再生操作と、音声データの検索条件となる操作端末情報を選択（指定）する操作端末情報選択操作とが含まれる。操作者が上記録音開始操作を行うと録音開始要求が録音装置２に送信され、操作者が上記録音終了操作を行うと録音終了要求が録音装置２に送信され、操作者が上記再生操作を行うと再生要求が録音装置２に送信され、操作者が上記操作端末情報選択操作を行うと操作端末情報選択要求が録音装置２に送信される。上記操作端末情報選択要求は、初期状態の音声データの検索条件である操作端末情報（音声データの再生を要求した操作端末４または７）とは異なる操作端末情報を選択するものである場合には、操作端末情報の変更を要求する操作端末情報変更要求である。親機入力装置２２に対する操作端末情報選択操作は、例えば、操作者が、親機表示装置２０に表示された複数の操作端末情報およびそれらに対応する番号を見て、選択したい操作端末情報に対応する番号を入力することによって行われる。
【００６６】
次に、親機記憶部１２および親機主制御部１１について、詳細に説明する。
【００６７】
まず、親機記憶部１２について説明する。
【００６８】
親機記憶部１２は、操作端末情報保持部１２１と音声データ記憶部（音声データ記憶手段）１２２と操作端末情報記憶部（操作端末情報記憶手段）１２３とを含んでいる。
【００６９】
操作端末情報保持部１２１は、録音要求または再生要求をしてきた操作端末（操作端末４または７）の操作端末情報を記憶するものである。操作端末情報保持部１２１に記憶される録音要求時の操作端末情報は、録音する音声データを後述する音声データ記憶部１２２に記憶させるときに該音声データに関連付けるために、後述する音声データ記憶制御部１１４が用いる。また、操作端末情報保持部１２１に記憶される再生要求時の操作端末情報は、後述する音声データ記憶制御部１１４から該操作端末情報に合致する操作端末情報が関連付けられている音声データを検索するために、後述する音声データ検索部１１８が用いる。
【００７０】
音声データ記憶部１２２は、親機音声制御部１４を介して親機音声入力装置１５から送信される音声データと、親機通信制御部１７を介して子電話機３０から送信される音声データと、親機外部通信制御部１３を介して第１通信ネットワーク５０１から送信される音声データとを記憶するものである。親機音声制御部１４を介して親機音声入力装置１５から送信される音声データには親電話機１０の操作端末情報が関連付けられ、親機通信制御部１７を介して子電話機３０から送信される音声データには子電話機３０の操作端末情報が関連付けられ、親機外部通信制御部１３を介して第１通信ネットワーク５０１から送信される音声データには、親電話機１０の操作端末情報と子電話機３０の操作端末情報とのいずれにも一致しない留守録音用の操作端末情報（音声データの録音を要求した操作端末が親電話機１０内の操作端末４および子電話機３０内の操作端末７の何れでもない外部の電話装置５００であることを示す操作端末情報）が関連付けられて、音声データ記憶部１２２に記憶される。
【００７１】
操作端末情報記憶部１２３は、親電話機１０の操作端末情報と、子電話機３０の操作端末情報と、親電話機１０の操作端末情報および子電話機３０の操作端末情報のいずれにも一致しない留守録音用の操作端末情報とを記憶するものである。親電話機１０の操作者が親電話機１０以外の操作端末（子電話機３０内の操作端末７や外部の電話装置５００）から録音した音声データを親電話機１０にて再生したい場合に、例えば、操作端末情報を親機表示装置２０に表示して親電話機１０の操作者が操作端末情報を選択可能とするために、後述する操作端末情報選択部１１５が操作端末情報記憶部１２３に記憶している操作端末情報を、親機表示制御部１９を介して親機表示装置２０に送信するか、または、親機音声制御部１４を介して親機音声出力装置１６に送信する。
【００７２】
次に、親機主制御部１１について説明する。
【００７３】
親機主制御部１１は、操作端末情報送信部１１１と操作端末情報設定部（操作端末情報設定手段）１１２と音声データ受信部１１３と音声データ記憶制御部（記憶制御手段）１１４と操作端末情報選択部１１５と操作端末情報選択信号送信部１１６と操作端末情報変更設定部１１７と音声データ検索部（音声データ検索手段）１１８と音声データ送信部１１９とを含んでいる。
【００７４】
操作端末情報送信部１１１は、録音または再生を要求する操作者の操作に応じて操作端末４（自操作端末）を識別する操作端末情報を送信する。より詳細には、操作端末情報送信部１１１は、親機入力装置２２から親機入力操作制御部２１を介して入力される録音要求および再生要求に応じて、親電話機１０の操作端末情報を操作端末情報設定部１１２に送信する。
【００７５】
操作端末情報設定部１１２は、親機入力装置２２から親機入力操作制御部２１を介して入力される録音要求および再生要求、子電話機３０から親機通信制御部１７を介して入力される録音要求および再生要求、並びに外部の電話装置５００から第１通信ネットワーク５０１を介して入力される録音要求の各々に応じて、操作端末情報を設定する。すなわち、操作端末情報設定部１１２は、親電話機１０からの録音要求を受けた場合は操作端末情報送信部１１１から送信される親電話機１０の操作端末情報を、子電話機３０からの録音要求を受けた場合は子電話機３０の操作端末情報を、第１通信ネットワーク５０１経由で外部の電話装置５００からの録音要求を受けた場合は留守録音用の操作端末情報を、操作端末情報保持部１２１に設定する（書き込む）。同様に、親電話機１０からの再生要求を受けた場合は操作端末情報送信部１１１から送信される親電話機１０の操作端末情報を、子電話機３０からの再生要求を受けた場合は子電話機３０の操作端末情報を、操作端末情報保持部１２１に設定する。また、操作端末情報設定部１１２は、再生要求を受けた場合は、その再生要求を音声データ検索部１１８に送信する。
【００７６】
音声データ受信部１１３は、親機音声制御部１４を介して親機音声入力装置１５から送信される音声データと、親機通信制御部１７を介して子電話機３０から送信される音声データと、親機外部通信制御部１３を介して第１通信ネットワーク５０１から送信される音声データとの１つまたは複数を受信する。また、音声データ受信部１１３は、録音要求をしてきた操作端末（操作端末４または７）からの録音終了要求を検知するか、あるいは親機外部通信制御部１３での回線開放（通話切断）を検知すると、音声データの受信を終了し、受信した音声データを音声データ記憶制御部１１４に送信する。
【００７７】
音声データ記憶制御部１１４は、操作端末情報設定部１１２が操作端末情報保持部１２１に設定した操作端末情報を、音声データ受信部１１３から送られた音声データに関連付けて、音声データ記憶部１２２に記憶させる。
【００７８】
操作端末情報選択部１１５は、親電話機１０の操作者が親電話機１０内の操作端末４以外の操作端末（親電話機３０内の操作端末７あるいは外部の電話装置５００）からの録音要求によって録音した音声データを親電話機１０にて再生したい場合に、親電話機１０の操作者が音声データの検索条件となる操作端末情報を選択可能とするために、操作端末情報記憶部１２３に記憶している操作端末情報を、例えば親機表示制御部１９を介して親機表示装置２０に送信するか、または、親機音声制御部１４を介して親機音声出力装置１６に送信する。そして、操作端末情報選択部１１５は、親機入力装置２２から操作端末情報選択要求を受けると、親機入力装置２２にて操作者に選択された操作端末情報を、音声データの検索条件となる操作端末情報を示す操作端末情報選択信号として操作端末情報選択信号送信部１１６に送信する。
【００７９】
操作端末情報選択信号送信部１１６は、操作端末情報選択部１１５から送信された操作端末情報選択信号を操作端末情報変更設定部１１７に送信する。
【００８０】
操作端末情報変更設定部１１７は、操作端末情報保持部１２１に設定されている操作端末情報を変更するものであって、該操作端末情報を送信した操作端末（音声データの再生を要求した操作端末）４または７から、操作端末情報保持部１２１に設定されている操作端末情報とは異なる操作端末情報が操作端末情報選択信号として、子電話機３０または操作端末情報選択信号送信部１１６から送信されてきた場合、すなわち操作端末情報変更要求を受け付けた場合に、該操作端末情報に代えて該異なる操作端末情報を操作端末情報保持部１２１に設定する。
【００８１】
音声データ検索部１１８は、親電話機２０の親機入力装置２２あるいは子電話機３０によってなされた再生要求を操作端末情報設定部１１２から受信すると、再生要求をした操作端末４または７から送られた操作端末情報であって操作端末情報保持部１２１に設定されている操作端末情報を基に、音声データ記憶部１２２を検索し、該操作端末情報に合致する操作端末情報が関連付けられている音声データを取得（発見）し、取得された該音声データを音声データ送信部１１９に送信する。
【００８２】
音声データ送信部１１９は、音声データ検索部１１８から音声データが送信されてきたときに、再生要求をした操作端末が親電話機１０内の操作端末４であれば音声データ検索部１１８から送信されてきた音声データを親機音声制御部１４を介して親機音声出力装置１６へ送信し、再生要求をした操作端末が子電話機３０内の操作端末７であれば、音声データ検索部１１８から送信されてきた音声データを親機通信制御部１７を介して子電話機３０へ送信する。
【００８３】
録音装置主要部３は、親機外部通信制御部１３、操作端末情報設定部１１２、音声データ記憶制御部１１４、操作端末情報変更設定部１１７、音声データ検索部１１８、操作端末情報保持部１２１、および音声データ記憶部１２２から構成される。操作端末主要部５は、親機音声制御部１４、親機音声入力装置１５、親機音声出力装置１６、親機表示制御部１９、親機表示装置２０、親機入力操作制御部２１、親機入力装置２２、操作端末情報送信部１１１、操作端末情報選択部１１５、操作端末情報選択信号送信部１１６、および操作端末情報記憶部１２３から構成される。通信部６は、親機通信制御部１７、親機通信部１８、音声データ受信部１１３、および音声データ送信部１１９から構成される。
【００８４】
次に、子電話機３０について説明する。
【００８５】
図３に示すように子電話機３０は、子機主制御部３１、子機記憶部３２、子機音声制御部３３、子機音声入力装置３４、子機音声出力装置３５、子機通信制御部３６、子機通信部３７、子機表示制御部３８、子機表示装置３９、子機入力操作制御部４０、子機入力装置４１とを備える。
【００８６】
子機主制御部３１は、子機音声制御部３３、子機通信制御部３６、子機表示制御部３８、子機入力操作制御部４０を制御するものである。子機主制御部３１は、子親機記憶部３２に記憶されたプログラムを実行することによって上記の制御を行うものである。子機主制御部３１は、例えば、子機記憶部３２に記憶されたプログラムをロードする図示しないメモリ（例えばＲＡＭ）と、メモリにロードされたプログラムを実行する図示しないＣＰＵが実行することによって実現される。上記メモリは、例えば半導体メモリで構成され、子機音声制御部３３、子機通信制御部３６、子機表示制御部３８、子機入力操作制御部４０、およびＣＰＵが処理を行うために必要なデータなどのデータを記憶する。子機主制御部３１の詳細な構成については後述する。
【００８７】
子機記憶部３２は、例えば、子機主制御部３１のＣＰＵで実行されるプログラム、プログラムで利用される設定データや入力データ、プログラムの実行によって得られたデータなどを記憶するものであり、ＲＯＭやフラッシュメモリなどの不揮発性メモリなどで実現される。子機記憶部３２の詳細な構成については後述する。
【００８８】
子機音声制御部３３は、子電話機３０の操作者の音声が入力される子機音声入力装置３４と、子電話機３０の操作者に対して音声を出力する子機音声出力装置３５を制御する。子機音声制御部３３は、子機主制御部３１からの通話録音要求または音声メモ録音要求に応じて、子機音声入力装置３４から入力される音声をデジタルデータに変換して子機通信制御部３６へ送信する。また、子機音声制御部３３は、子機主制御部３１からの再生要求に応じて、子機通信制御部３６から送信される音声データをアナログ音声信号に変換して子機音声出力装置３５に出力する。
【００８９】
子機音声入力装置３４は、子電話機３０の操作者から発声される音声を音声信号として取り込み、子機音声制御部３３へ送信する。子機音声入力装置３４は、例えばマイクで構成される。
【００９０】
子機音声出力装置３５は、子機音声制御部３３から送信されるアナログ音声信号を音声に変換して出力する。子機音声出力装置３５は、子機音声制御部３３から送信される音声を出力する。音声出力装置３５は、例えばスピーカーで構成される。
【００９１】
子機通信制御部３６は、子機通信部３７を介して親電話機１０とのデータの送受信を制御する。送受信されるデータには、音声データ、親電話機１０からの制御信号、および子電話機３０の子機主制御部３１からの制御信号が含まれる。
【００９２】
子機通信部３７は、親電話機１０と子電話機３０との通信を実行する際に、親機通信部１８と各種データの送受信を行う。子機通信部３７は、例えばアンテナで構成される。
【００９３】
子機表示制御部３８は、表示装置である子機表示装置３９を制御し、子機主制御部３１から指示された情報を子機表示装置３９に送信する。
【００９４】
子機表示装置３９は、子機表示制御部３８より送られた情報を表示する。子機表示装置３９は、例えばＬＣＤで構成される。子機表示装置３９が表示する情報には、例えば、後述する操作端末情報記憶部３２１に記憶されている操作端末情報が含まれる。
【００９５】
子機入力操作制御部４０は、子電話機３０の操作者からの操作を受けつける子機入力装置４１を制御し、子機主制御部３１に対して操作者の入力操作に応じた入力信号を送信する。
【００９６】
子機入力装置４１は、子電話機３０の操作者の入力操作を受けつける入力装置であり、入力操作に応じた入力信号を子機入力操作制御部４０に送信する。子機入力装置４１は、例えば、ボタン（キー）、スイッチ、タッチパネルなどの入力デバイスで構成される。子機入力装置４１が受けつける入力操作には、音声データの通話録音または音声メモ録音の開始を要求する録音開始要求と、音声データの通話録音の終了を要求する録音終了要求と、音声データの再生を要求する再生要求と、操作端末情報の変更を要求する操作端末情報変更要求とが含まれる。
【００９７】
次に、子機記憶部３２および子機主制御部３１について、詳細に説明する。
【００９８】
まず、子機記憶部３２について説明する。
【００９９】
子機記憶部３２は、操作端末情報記憶部（操作端末情報記憶手段）３２１を含んでいる。
【０１００】
操作端末情報記憶部３２１は、親電話機１０の操作端末情報と、子電話機３０の操作端末情報と、親電話機１０の操作端末情報および子電話機３０の操作端末情報のいずれにも一致しない留守録音用の操作端末情報とを記憶するものである。子電話機３０の操作者が子電話機３０以外の操作端末（親電話機１０内の操作端末４や外部の電話装置５００）から録音した音声データを子電話機３０にて再生したい場合に、例えば、操作端末情報を子機表示装置３９に表示して子電話機３０の操作者が操作端末情報を選択可能とするために、後述する操作端末情報送信部３１１が操作端末情報記憶部３２１に記憶している操作端末情報を、子機表示制御部３８を介して子機表示装置３９に送信するか、または、子機音声制御部３３を介して子機音声出力装置３５に送信する。
【０１０１】
次に、子機主制御部３１について説明する。
【０１０２】
子機主制御部３１は、操作端末情報送信部（操作端末情報送信手段）３１１と音声データ送信部３１２と音声データ受信部３１３と操作端末情報選択部（操作端末情報選択手段）３１４と操作端末情報選択信号送信部３１５とを含んでいる。
【０１０３】
操作端末情報送信部３１１は、録音または再生を要求する操作者の操作に応じて操作端末７（自操作端末）を識別する操作端末情報を送信する。より詳細には、操作端末情報送信部３１１は、操作端末情報送信部３１１は、子電話機３０の操作者が子機入力装置４１から入力した録音要求あるいは再生要求に応じて、子電話機３０の操作端末情報を子機通信制御部３６を介して親電話機１０に送信する。
【０１０４】
音声データ送信部３１２は、子電話機３０の操作者が子機入力装置４１から入力した録音要求に応じて、子機音声制御部３３を介して子機音声入力装置３４から送信される音声データを、子機通信制御部３６を介して親電話機１０に送信する。
【０１０５】
音声データ受信部３１３は、子電話機３０の操作者が子機入力装置４１から入力した再生要求に応じて、子機通信制御部３６を介して親電話機１０から送信されてくる音声データを受信し、子機音声制御部３３に送信する。
【０１０６】
操作端末情報選択部３１４は、子電話機３０の操作者が子電話機３０内の操作端末７以外の操作端末（親電話機１０内の操作端末４あるいは外部の電話装置５００）からの録音要求によって録音した音声データを子電話機３０にて再生したい場合に、子電話機３０の操作者が音声データの検索条件となる操作端末情報を選択可能とするために、操作端末情報記憶部３２１に記憶している操作端末情報を、例えば子機表示制御部３８を介して子機表示装置３９に送信するか、または、子機音声制御部３３を介して子機音声出力装置３５に送信する。そして、操作端末情報選択部３１４は、子機入力装置４１から操作端末情報選択要求を受けると、子機入力装置４１にて操作者に選択された操作端末情報を、音声データの検索条件となる操作端末情報を示す操作端末情報選択信号として操作端末情報選択信号送信部３１５に送信する。
【０１０７】
操作端末情報選択信号送信部３１５は、操作端末情報選択部３１４から送信された操作端末情報選択信号を子機通信制御部３６を介して親電話機１０に送信する。
【０１０８】
操作端末主要部８は、子機音声制御部３３、子機音声入力装置３４、子機音声出力装置３５、子機表示制御部３８、子機表示装置３９、子機入力操作制御部４０、子機入力装置４１、操作端末情報送信部３１１、操作端末情報選択部３１４、操作端末情報選択信号送信部３１５、および操作端末情報記憶部３２１から構成される。通信部９は、子機通信制御部３６、子機通信部３７、音声データ送信部３１２、および音声データ受信部３１３から構成される。
【０１０９】
次に、録音再生機能付き電話装置１の録音および再生の処理手順について、図４、図５および図６を用いて以下に説明する。
【０１１０】
図４は、親電話機１０において音声データを録音する処理手順を示すフローチャートである。
【０１１１】
親電話機１０の操作者が親機入力装置２２から録音開始要求を入力したか、あるいは子電話機３０の操作者が子機入力装置４１から入力した録音開始要求が親機通信制御部１７を介して親電話機１０に送信されてくると（Ｓ１）、操作端末情報設定部１１２が、録音開始要求が行われた操作端末（操作端末４または７）の操作端末情報を操作端末情報保持部１２１に設定する（Ｓ２）。すなわち、親機入力装置２２の操作によって録音開始要求が行われた場合は、親電話機１０の操作端末情報を操作端末情報送信部１１１が操作端末情報設定部１１２に送信し、操作端末情報設定部１１２が操作端末情報保持部１２１に設定する。子機入力装置４１の入力によって録音開始要求が行われた場合は、子電話機３０の操作端末情報を操作端末情報送信部３１１が操作端末情報設定部１１２に送信し、操作端末情報設定部１１２が操作端末情報保持部１２１に設定する。
【０１１２】
次に、親機入力装置２２の操作によって録音開始要求が行われた場合において、通話録音の場合は、親機音声制御部１４を介して親機音声入力装置１５から入力された親電話機１０の操作者の音声と、親機外部通信制御部１３を介して外部の電話装置５００から送信されてくる音声とを、音声データ受信部１１３が受信する。子機入力装置４１の入力によって録音操作が行われた場合において、通話録音の場合は、親機通信制御部１７を介して子機音声入力装置３４から入力された子電話機３０の操作者の音声と、親機外部通信制御部１３を介して送信されてくる音声とを、音声データ受信部１１３が受信する（Ｓ３）。
【０１１３】
次に、音声データ受信部１１３が、親電話機１０の操作者が親機入力装置２２から入力された録音終了要求を検知するか、あるいは子電話機３０の操作者が子機入力装置４１から入力された録音終了要求を検知するか、あるいは親機外部通信制御部１３での回線開放（通話切断）を検知するまで、音声データの受信を続け（Ｓ４）、音声データ受信部１１３が録音終了要求を検知するかあるいは回線開放を検知すると音声データの受信を終了して受信した音声データを音声データ記憶制御部１１４に送信し（Ｓ５）、音声データ記憶制御部１１４がステップＳ２にて操作端末情報保持部１２１に設定した操作端末情報を該音声データに関連付けて、音声データ記憶部１２２へ記憶させる（Ｓ６）。
【０１１４】
上述の実施の形態では、親電話機１０に１台の子電話機３０が接続されている場合について記述したが、親電話機１０に接続される子電話機３０が複数台存在する場合であっても、複数の子電話機３０にそれぞれ異なる操作端末情報を付与することにより、上述の実施の形態と同様に扱うことができる。
【０１１５】
また、上述の実施の形態では、通話録音を行う場合について記述したが、音声メモ録音を行う場合であっても上述の実施の形態と同様に扱うことができる。ただしこの場合は、親機外部通信制御部１３を介して第１通信ネットワーク５０１から送信されてくる音声データは存在しない。
【０１１６】
また、第１通信ネットワーク５０１を介した外部の電話装置５００からの留守録音を行う場合は、ステップＳ６にて親電話機１０の操作端末情報と子電話機３０の操作端末情報とのいずれにも一致しない留守録音用の操作端末情報を音声データに関連付けることにより、上述の実施の形態とほぼ同様に扱うことができる。すなわち、まず、外部の電話装置５００の操作者が外部の電話装置５００に入力した留守録音開始要求が第１通信ネットワーク５０１を介して親電話機１０に送信されてくると、操作端末情報設定部１１２が、親機外部通信制御部１３を介して留守録音開始要求を受信し、留守録音開始要求に応答して、親電話機１０の操作端末情報と子電話機３０の操作端末情報とのいずれにも一致しない留守録音用の操作端末情報を操作端末情報保持部１２１に設定する。次に、親機外部通信制御部１３を介して外部の電話装置５００から送信されてくる音声を音声データ受信部１１３が受信する。次に、音声データ受信部１１３が、親機外部通信制御部１３での回線開放を検知するまで、音声データの受信を続け、音声データ受信部１１３が回線開放を検知すると、音声データの受信を終了して受信した音声データを音声データ記憶制御部１１４に送信し、音声データ記憶制御部１１４が操作端末情報保持部１２１に設定した留守録音用の操作端末情報を該音声データに関連付けて、音声データ記憶部１２２へ記憶させる。
【０１１７】
また、上述の実施の形態では、音声データの受信を終了（Ｓ５）した後に、受信した音声データと操作端末情報を関連付けて記憶する（Ｓ６）処理手順としたが、音声データを受信しながら（通話しながら）、該音声データと操作端末情報を関連付けて記憶する処理手順、つまり、ステップＳ６がステップＳ３とステップＳ４との間であっても、上述の実施の形態とほぼ同様に扱うことができる。すなわち、ステップＳ３にて、音声データ受信部１１３が音声データの受信を開始した後、音声データ記憶制御部１１４がステップＳ２にて操作端末情報保持部１２１に設定した操作端末情報を受信中の音声データに関連付けて、音声データ記憶部１２２へ記憶させる。そして、音声データ受信部１１３が、親電話機１０の操作者が親機入力装置２２から入力された録音終了要求を検知するか、あるいは子電話機３０の操作者が子機入力装置４１から入力された録音終了要求を検知するか、あるいは親機外部通信制御部１３での回線開放（通話切断）を検知するまで、音声データの受信および音声データ記憶部１２２への記憶を続け（Ｓ６）、音声データ受信部１１３が録音終了要求を検知するかあるいは回線開放を検知する（Ｓ４）と音声データの受信および音声データ記憶部１２２への記憶を終了する（Ｓ５）。
【０１１８】
図５は、親電話機１０において、録音されている音声データを再生する処理手順を示すフローチャートである。
【０１１９】
親電話機１０の操作者が親機入力装置２２から再生要求を入力したか、あるいは子電話機３０の操作者が子機入力装置４１から入力した再生要求が親機通信制御部１７を介して親電話機１０に送信されると（Ｓ７）、操作端末情報設定部１１２が、その再生要求に応じて、再生要求が行われた操作端末（操作端末４または７）の操作端末情報を操作端末情報保持部１２１に設定する（Ｓ８）。すなわち、親機入力装置２２の操作によって再生要求が行われた場合は、親電話機１０の操作端末情報を操作端末情報送信部１１１が操作端末情報設定部１１２に送信し、操作端末情報設定部１１２が操作端末情報保持部１２１に設定する。子機入力装置４１の入力によって再生要求が行われた場合は、子電話機３０の操作端末情報を操作端末情報送信部３１１が操作端末情報設定部１１２に送信し、操作端末情報設定部１１２が操作端末情報保持部１２１に設定する。
【０１２０】
次に、ステップＳ８にて操作端末情報保持部１２１に設定された操作端末情報に合致した操作端末情報が関連付けられた音声データが音声データ記憶部１２２に記憶されているかどうかを、音声データ検索部１１８が調べる（Ｓ９）。該音声データが記憶されていない場合には処理を終了する。該音声データが記憶されている場合には、音声データ検索部１１８が該音声データを音声データ記憶部１２２から読み出して音声データ送信部１１９へ送信する。さらに、音声データ送信部１１９が、ステップＳ８にて操作端末情報保持部１２１に設定された操作端末情報を基に、親機音声制御部１４へ該音声データを送信して親機音声出力装置１６から音声を出力するかまたは、親機通信制御部１７を介して子電話機３０へ該音声データを送信して子機音声出力装置３５から音声を出力する（Ｓ１０）。該音声データの再生が完了するとステップＳ９へ移り、ステップＳ８にて操作端末情報保持部１２１に設定された操作端末情報に合致する操作端末情報が関連付けられた他の音声データが音声データ記憶部１２２に存在しないかどうかを音声データ検索部１１８が確認し、該音声データが検索されなくなるまでステップＳ９およびＳ１０を繰り返す。
【０１２１】
図６は、親電話機１０において、録音されている音声データを再生する際に、操作端末情報の変更要求を受けつけ、再生する音声データを変更する処理手順を示すフローチャートである。
【０１２２】
親電話機１０の操作者が親機入力装置２２から再生要求を入力したか、あるいは子電話機３０の操作者が子機入力装置４１から入力した再生要求が親機通信制御部１７を介して親電話機１０に送信されると（Ｓ１１）、操作端末情報設定部１１２が、その再生要求に応じて、再生要求が行われた操作端末（操作端末４または７）の操作端末情報を操作端末情報保持部１２１に設定する（Ｓ１２）。すなわち、親機入力装置２２の操作によって再生要求が行われた場合は、親電話機１０の操作端末情報を操作端末情報送信部１１１が操作端末情報設定部１１２に送信し、操作端末情報設定部１１２が操作端末情報保持部１２１に設定する。子機入力装置４１の入力によって再生要求が行われた場合は、子電話機３０の操作端末情報を操作端末情報送信部３１１が操作端末情報設定部１１２に送信し、操作端末情報設定部１１２が操作端末情報保持部１２１に設定する。
【０１２３】
次に、操作端末情報変更設定部１１７が、再生要求が行われた操作端末（操作端末４または７）の操作端末情報選択信号送信部（１１６または３１５）から操作端末情報保持部１２１に設定された操作端末情報と異なる操作端末情報が操作端末情報選択信号として送信されたかどうかを調べ（Ｓ１３）、該異なる操作端末情報が操作端末情報選択信号として送信された場合にはステップＳ１４に移り、送信されなかった場合にはＳ１５に移る。ステップＳ１３およびステップＳ１４では、親電話機１０にて再生要求を行った場合に、親機入力装置２２の操作にて操作端末情報が新たな操作端末情報に変更されると、操作端末情報選択信号送信部１１６により該新たな操作端末情報が操作端末情報変更設定部１１７に送信され、操作端末情報変更設定部１１７が操作端末情報保持部１２１に設定されている操作端末情報を該新たな操作端末情報に変更する。また、子電話機３０にて再生要求を行った場合には、子機入力装置４１の操作にて操作端末情報が新たな操作端末情報に変更されると、操作端末情報選択信号送信部３１５により該新たな操作端末情報が操作端末情報変更設定部１１７に送信され、操作端末情報変更設定部１１７が操作端末情報保持部１２１に設定されている操作端末情報を該新たな操作端末情報に変更する。ステップＳ１５では、操作端末情報保持部１２１に設定された操作端末情報に合致した操作端末情報が関連付けられた音声データが音声データ記憶部１２２に記憶されているかどうかを、音声データ検索部１１８が調べる。該音声データが記憶されていない場合には処理を終了する。該音声データが記憶されている場合には、音声データ検索部１１８が該音声データを音声データ記憶部１２２から読み出して音声データ送信部１１９へ送信する。さらに、音声データ送信部１１９が、ステップＳ１２にて操作端末情報保持部１２１に設定された操作端末情報を基に、親機音声制御部１４へ該音声データを送信して親機音声出力装置１６から音声を出力するかまたは、親機通信制御部１７を介して子電話機３０へ該音声データを送信して子機音声出力装置３５から音声を出力する（Ｓ１６）。該音声データの再生が完了するとステップ１３へ移り、再度、異なる操作端末情報が送信されたかどうかを調べ、操作端末情報が合致する他の音声データが音声データ記憶部１２２に存在しないかどうかを音声データ検索部１１８が確認し、該音声データが検索されなくなるまでステップＳ１３、Ｓ１４、Ｓ１５およびＳ１６を繰り返す。
【０１２４】
上述の実施の形態では、親電話機１０に１台の子電話機３０が接続されている形態について記述したが、親電話機１０に接続される子電話機３０が複数台存在する形態であっても、複数の子電話機３０にそれぞれ異なる操作端末情報を付与することにより、各子電話機で録音された音声データの再生が可能となる。
【０１２５】
また、第１通信ネットワーク５０１を介した外部の電話装置５００からの留守録音に対しては、ステップＳ６において親電話機１０の操作端末情報と子電話機３０の操作端末情報とのいずれにも一致しない留守録音用の操作端末情報を音声データに関連付けて記憶させるが、ステップＳ１３において留守録音用の操作端末情報を変更要求することにより、親電話機１０と子電話機３０にて留守録音に対応する音声データを再生することが可能となる。
【０１２６】
なお、上述の実施の形態では、親電話機１０あるいは子電話機３０からの再生要求を対象として記述したが、第１通信ネットワーク５０１を介した外部の電話装置５００が外線リモート操作にて録音データを再生する機能を有する場合には、該外線リモート操作による再生要求を行うときに、該外部の電話装置５００から操作端末情報を送信させることにより、上述の実施の形態とほぼ同様に扱うことができる。すなわち、まず、外部の電話装置５００の操作者が外部の電話装置５００に入力した再生要求が第１通信ネットワーク５０１を介して親電話機１０に送信されてくると、操作端末情報設定部１１２が、親機外部通信制御部１３を介して再生要求を受信し、留守録音用の操作端末情報を操作端末情報保持部１２１に設定する（書き込む）とともに、その再生要求を音声データ検索部１１８に送信する。音声データ検索部１１８は、再生要求を操作端末情報設定部１１２から受信すると、操作端末情報保持部１２１に設定されている操作端末情報を基に、音声データ記憶部１２２を検索し、該操作端末情報に合致する操作端末情報が関連付けられている音声データを取得（発見）し、取得された該音声データを音声データ送信部１１９に送信する。音声データ送信部１１９は、音声データ検索部１１８から音声データが送信されてきたときに、音声データ検索部１１８から送信されてきた音声データを、親機外部通信制御部１３を介して外部の電話装置５００へ送信する。
【０１２７】
また、上述の実施の形態に係る電話装置では、録音装置２が親電話機１０内に設けられていたが、録音装置２を親電話機１０から分離してもよい。その場合には、例えば、親電話機１０から録音装置主要部３を削除し、親電話機内の操作端末４の通信部６を親電話機外の録音装置２の通信部６と第２通信ネットワーク５０２を介して接続すればよい。
【０１２８】
また、上述の実施の形態に係る電話装置は、通話録音機能、音声メモ録音機能、および留守録音機能を備えていたが、本発明に係る電話装置は、これら録音機能のうちの少なくとも１つを備えていればよい。ただし、本発明に係る電話装置は、通話録音機能を備えていることが好ましい。
【０１２９】
また、上述の実施の形態に係る電話装置は、外部の電話装置５００と接続されていたが、外部の電話装置５００と接続されていなくともよい。ただし、本発明に係る電話装置は、通話録音および留守録音が可能なように、外部の電話装置５００と接続されていることがより好ましい。
【０１３０】
また、本発明の録音装置、操作端末および通信端末は、上記電話装置を構成する親電話機および子電話機以外の通信機器、例えば、携帯電話機、ＰＤＡ(Personal Digital Assistant)（特にＩＰ電話機能を備えるＰＤＡ）、パーソナルコンピュータ（特にＩＰ電話機能を備えるパーソナルコンピュータ）、テレビ電話装置などであってもよい。
【０１３１】
また、本発明の録音装置、操作端末、通信端末、および録音機能付き通信装置で記録および再生されるデータは、上述した音声データ単独に限定されるものではなく、音声データと、画像データや映像データなどの他のデータとを組み合わせたものであってもよい。
【０１３２】
なお、実施の形態は上述の他に、以下のようにも表現できる。
【０１３３】
［１］公衆回線（５０１）に接続される親電話機（１０）と、親電話機（１０）との間で通信可能な子電話機（３０）とを含み、親電話機（１０）と子電話機（３０）の各々の操作端末（４，７）から通話内容を録音でき、親電話機（１０）と子電話機（３０）の各々の操作端末（４，７）から録音データを再生でき、録音データ格納メモリ（１２２）が一つである録音再生機能付電話装置・ファクシミリ装置であって、各々の操作端末（４，７）で録音操作が実行されると、録音データとともに操作端末情報を自動的に保存することを特徴とする録音再生機能付電話装置・ファクシミリ装置。
【０１３４】
［２］上記［１］の装置であって、親電話機（１０）及び子電話機（３０）の各々の操作端末（４，７）からの再生要求があった時に、その操作端末（４，７）に合致した操作端末情報が付加されている録音データのみを再生することを特徴とする録音再生機能付電話装置・ファクシミリ装置。
【０１３５】
［３］上記［１］の装置であって、前記操作端末（４，７）にて再生要求をする際に、選択信号にて他の操作端末情報を送信可能とすることで、その該操作端末（４，７）で録音された録音データのみを再生することを特徴とする録音再生機能付電話装置・ファクシミリ装置。
【０１３６】
［４］上記［３］の装置であって、公衆回線（５０１）からの留守録音に対して、親電話機（１０）と子電話機（３０）とは異なる操作端末情報を録音データとともに保存することを特徴とする録音再生機能付電話装置・ファクシミリ装置。
【０１３７】
最後に、親機主制御部１１および子機主制御部３１は、上述のようにＣＰＵを用いてソフトウェアによって実現してもよいし、ハードウェアロジックによって構成してもよい。ソフトウェアによって実現する場合は、親電話機１０または子電話機３０は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである親電話機１０または子電話機３０の制御プログラムのプログラムコード（実行形式プログラム、中間コードプログラム、ソースプログラム）をコンピュータで読み取り可能に記録した記録媒体を、親電話機１０または子電話機３０に供給し、親電話機１０または子電話機３０内のコンピュータ（またはＣＰＵやＭＰＵ）が記録媒体に記録されているプログラムコードを読み出し実行することによっても、達成可能である。
【０１３８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３９】
また、親電話機１０または子電話機３０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４ケーブル、ＵＳＢケーブル、電力線搬送、ケーブルＴＶ回線、電話線、ＡＤＳＬ回線等の有線でも、ＩｒＤＡのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４１】
本発明は、録音装置、操作端末、通信端末、録音機能付き通信装置に利用可能である。例えば、留守中に電話回線網から着信があった際に発信者のメッセージを録音する留守録音機能、通話中に話者の音声を録音する通話録音機能、あるいは、通話時以外に話者の音声をメモとして録音する音声メモ録音機能を有している電話装置やファクシミリ機能付き電話装置に適用できる。
【図面の簡単な説明】
【０１４２】
【図１】本発明の実施の一形態である録音再生機能付き電話装置の要部構成を示すブロック図である。
【図２】本発明の実施の一形態である親電話機の要部構成を示すブロック図である。
【図３】本発明の実施の一形態である子電話機の要部構成を示すブロック図である。
【図４】本発明の実施の一形態である録音再生機能付き電話装置において音声データを録音する処理手順を示すフローチャートである。
【図５】本発明の実施の一形態である録音再生機能付き電話装置において音声データを再生する処理手順を示すフローチャートである。
【図６】本発明の実施の一形態である録音再生機能付き電話装置において音声データを再生するときに、操作端末から操作端末情報の変更要求を受けつけ、再生する音声データを変更する場合の処理手順を示すフローチャートである。
【符号の説明】
【０１４３】
１      録音再生機能付き電話装置
２      録音装置
４      操作端末
７      操作端末
１０    親電話機
１１    親機主制御部
１１１  操作端末情報送信部
１１２  操作端末情報設定部（操作端末情報設定手段）
１１４  音声データ記憶制御部（記憶制御手段）
１１５  操作端末情報選択部
１１６  操作端末情報選択信号送信部
１１７  操作端末情報変更設定部
１１８  音声データ検索部（音声データ検索手段）
１２    親機記憶部
１２１  操作端末情報保持部
１２２  音声データ記憶部（音声データ記憶手段）
１２３  操作端末情報記憶部
１３    親機通信外部制御部
３０    子電話機
３１    子機主制御部
３１１  操作端末情報送信部（操作端末情報送信手段）
３１４  操作端末情報選択部（操作端末情報選択手段）
３１５  操作端末情報選択信号送信部
３２    子機記憶部
３２１  操作端末情報記憶部（操作端末情報記憶手段）
５００  外部の電話装置
５０１  第１通信ネットワーク
５０２  第２通信ネットワーク
【図１】
2008109520.tif 000003
【図２】
2008109520.tif 000004
【図３】
2008109520.tif 000005
【図４】
2008109520.tif 000006
【図５】
2008109520.tif 000007
【図６】
2008109520.tif 000008